(57)【特許請求の範囲】
【請求項１】
燃料ガス及び酸化材の酸化及び還元によって発電を行う燃料電池と、前記燃料電池を作動させるための補機と、前記燃料電池の発電電力を交流電力に変換して出力するための交流電力変換手段と、前記燃料電池の発電出力を制御するためのコントローラとを備えた燃料電池システムであって、
前記コントローラは、前記燃料電池を起動させる起動工程の進行状況を記憶するためのメモリを含み、前記コントローラに関連して、ポータブル電源装置からの電力を入力するための入力端子手段が設けられ、停電起動のときに前記ポータブル電源装置が前記入力端子手段に電気的に接続され、前記ポータブル電源装置からの電力が前記入力端子手段を介して前記コントローラ及び前記補機に供給されて前記起動工程が遂行されるように構成されており、
更に、前記起動工程は、複数の分割工程に分割されており、停電起動のときには、前記起動工程の前記複数の分割工程のうち終了した分割工程については、その分割工程の終了情報が前記コントローラの前記メモリに記憶され、前記起動工程中に前記ポータブル電源装置が作動停止した後に再び作動させたときには、前記コントローラは、前記メモリに記憶された終了分割工程の後の分割工程から前記起動工程を再開することを特徴とする燃料電池システム。
【請求項２】
燃料ガス及び酸化材の酸化及び還元によって発電を行う燃料電池と、前記燃料電池を作動させるための補機と、前記燃料電池の発電電力を交流電力に変換して出力するための交流電力変換手段と、前記燃料電池の発電出力を制御するためのコントローラとを備えた燃料電池システムであって、
前記コントローラは、前記燃料電池を起動させる起動工程時における前記燃料電池に関する温度変化状況を記憶するためのメモリを含み、前記コントローラに関連して、ポータブル電源装置からの電力を入力するための入力端子手段が設けられ、停電起動のときに前記ポータブル電源装置が前記入力端子手段に電気的に接続され、前記ポータブル電源装置からの電力が前記入力端子手段を介して前記コントローラ及び前記補機に供給されて前記起動工程が遂行されるように構成されており、
停電起動のときには、前記起動工程中の前記燃料電池の起動に関する温度変化状況が前記メモリに記憶され、前記起動工程中に前記ポータブル電源装置が作動停止した後に再び作動させたときには、前記コントローラは、前記メモリに記憶された前記燃料電池の起動に関する温度変化状態から前記起動工程を再開することを特徴とする燃料電池システム。
【請求項３】
記起動工程の遂行中に前記燃料電池の発電電力の出力が可能になると、前記交流電力変換手段は、前記燃料電池からの発電電力を交流電力に変換して出力し、前記交流電力変換手段からの交流電力が前記コントローラ及び前記補機に供給されることを特徴とする請求項１又は２に記載の燃料電池システム。
【発明の詳細な説明】
【技術分野】
【０００１】
本発明は、燃料ガスを燃料として発電を行う燃料電池を備えた燃料電池システムに関する。
【背景技術】
【０００２】
燃料電池の一例として、酸化物イオンを伝導する膜として固体電解質を用いた燃料電池（「燃料電池セルスタック」とも称する）を備えた燃料電池システムが知られている。この燃料電池システムは、燃料電池セルスタックを作動させるための複数の補機を含み、このような補器として、燃料ガスを供給するための燃料ポンプ、酸化材（例えば、空気）を供給するための送風装置及び改質用の水を供給するための水ポンプなどが用いられている。また、燃料電池の出力側には、直流の発電電力を所定の交流電力に変換して出力するための交流電力変換手段が設けられ、また燃料電池の発電電力を制御するためのコントローラが設けられている。
【０００３】
このような燃料電池システムでは、起動時には商用電力が利用され、商用電力が系統連系を介してコントローラ及び複数の補機に供給され、この商用電力により複数の補機及びコントローラが作動される。そして、起動後の定常運転状態になると、燃料電池の発電電力に切り換えられ、この発電電力を利用して複数の補機及びコントローラが作動される。ところが、停電時には系統連系を介して商用電力の供給ができないために、燃料電池の起動ができないという問題がある。
【０００４】
そこで、停電時の起動を可能にしたシステムも提案されている。一つは、無停電電源装置を利用するものであり（例えば、特許文献１参照）、停電起動時に、無停電電源装置を駆動用電源として用い、この無停電電源装置からの電力を複数の補機などに供給し、この電力を利用して起動している。
【０００５】
また、他の一つは、二次電池を利用するものであり（例えば、特許文献２参照）、停電起動時に、二次電池を駆動用電源として用い、この二次電池からの電力を燃料電池及び複数の補機に供給して起動している。
【先行技術文献】
【特許文献】
【０００６】
【特許文献１】特開２００４−２４２４５８号公報
【特許文献２】特開２００７−２２８７２８号公報
【発明の概要】
【発明が解決しようとする課題】
【０００７】
しかしながら、上述したシステムでは、駆動用電源として無停電電源装置、二次電池などの専用の起動用電源を必要としているために、システム全体が複雑になるとともに、その製作コストが高価となる問題がある。
【０００８】
本発明の目的は、レジャー用などの簡易電源として市販されているポータブル電源装置を利用して燃料電池を起動することができる燃料電池システムを提供することである。
【課題を解決するための手段】
【０００９】
本発明の請求項１に記載の燃料システムは、燃料ガス及び酸化材の酸化及び還元によって発電を行う燃料電池と、前記燃料電池を作動させるための補機と、前記燃料電池の発電電力を交流電力に変換して出力するための交流電力変換手段と、前記燃料電池の発電出力を制御するためのコントローラとを備えた燃料電池システムであって、
前記コントローラは、前記燃料電池を起動させる起動工程の進行状況を記憶するためのメモリを含み、前記コントローラに関連して、ポータブル電源装置からの電力を入力するための入力端子手段が設けられ、停電起動のときに前記ポータブル電源装置が前記入力端子手段に電気的に接続され、前記ポータブル電源装置からの電力が前記入力端子手段を介して前記コントローラ及び前記補機に供給されて前記起動工程が遂行されるように構成されており、
更に、前記起動工程は、複数の分割工程に分割されており、停電起動のときには、前記起動工程の前記複数の分割工程のうち終了した分割工程については、その分割工程の終了情報が前記コントローラの前記メモリに記憶され、前記起動工程中に前記ポータブル電源装置が作動停止した後に再び作動させたときには、前記コントローラは、前記メモリに記憶された終了分割工程の後の分割工程から前記起動工程を再開することを特徴とする。
【００１１】
また、本発明の請求項２に記載の燃料電池システムは、燃料ガス及び酸化材の酸化及び還元によって発電を行う燃料電池と、前記燃料電池を作動させるための補機と、前記燃料電池の発電電力を交流電力に変換して出力するための交流電力変換手段と、前記燃料電池の発電出力を制御するためのコントローラとを備えた燃料電池システムであって、
前記コントローラは、前記燃料電池を起動させる起動工程時における前記燃料電池に関する温度変化状況を記憶するためのメモリを含み、前記コントローラに関連して、ポータブル電源装置からの電力を入力するための入力端子手段が設けられ、停電起動のときに前記ポータブル電源装置が前記入力端子手段に電気的に接続され、前記ポータブル電源装置からの電力が前記入力端子手段を介して前記コントローラ及び前記補機に供給されて前記起動工程が遂行されるように構成されており、
停電起動のときには、前記起動工程中の前記燃料電池の起動に関する温度変化状況が前記メモリに記憶され、前記起動工程中に前記ポータブル電源装置が作動停止した後に再び作動させたときには、前記コントローラは、前記メモリに記憶された前記燃料電池の起動に関する温度変化状態から前記起動工程を再開することを特徴とする。
【００１２】
更に、本発明の請求項３に記載の燃料電池システムでは、記起動工程の遂行中に前記燃料電池の発電電力の出力が可能になると、前記交流電力変換手段は、前記燃料電池からの発電電力を交流電力に変換して出力し、前記交流電力変換手段からの交流電力が前記コントローラ及び前記補機に供給されることを特徴とする。
【発明の効果】
【００１３】
本発明の請求項１に記載の燃料電池システムによれば、コントローラに関連して、ポータブル電源装置からの電力を入力するための入力端子手段が設けられているので、停電起動のときには、この入力端子手段にポータブル電源装置が電気的に接続され、ポータブル電源装置からの発電電力がこの入力端子手段を介してコントローラ及び補機に供給され、このポータブル電源装置を用いて燃料電池を起動させることができる。また、停電起動のときには、複数の分割工程のうち終了した分割工程の終了情報がコントローラのメモリに記憶され、ポータブル電源装置が作動停止した後に再び作動させたときには、記憶された終了分割工程の後の分割工程から起動工程が再開されるので、起動工程の時間が長くても燃料電池を所要の通りに起動させることができる。尚、ポータブル電源装置とは、例えばカセットボンベの燃料ガスによりエンジンを回転させて発電を行うポータブル発電機、また例えば家庭用コンセントから充電するバッテリを備えたポータブル電源などである。
【００１５】
また、本発明の請求項２に記載の燃料電池システムによれば、上述したと同様に、停電起動のときには、ポータブル電源装置からの発電電力が入力端子手段を介してコントローラ及び補機に供給されるので、このポータブル電源装置を用いて燃料電池を起動させることができる。また、停電起動のときには、起動工程中の燃料電池の起動に関する温度変化状況がコントローラのメモリに記憶され、起動工程中にポータブル電源装置が作動停止した後に再び作動させたときには、記憶された燃料電池の起動に関する温度変化状態から起動工程が再開されるので、このようにしても燃料電池を所要の通りに起動させることができる。
【００１６】
更に、本発明の請求項３に記載の燃料電池システムによれば、起動工程の遂行中に燃料電池の発電電力の出力が可能になると、交流電力変換手段は、燃料電池からの発電電力を交流電力に変換して出力し、この交流電力を利用してコントローラ及び補機が作動されるので、ポータブル電源装置の電力利用を抑えて燃料電池を所要の通りに起動させることができる。
【図面の簡単な説明】
【００１７】
【図１】本発明に従う燃料電池システムの一実施形態を示す簡略図。
【図２】図１の燃料電池システムの制御回路を簡略的に示す回路図。
【図３】図１の燃料電池システムの通常時の起動運転の流れを示すフローチャート。
【図４】図１の燃料電池システムの停電時の起動運転の流れを示すフローチャート。
【図５】他の実施例の停電時の起動運転の一部の流れを示すフローチャート。
【発明を実施するための形態】
【００１８】
以下、添付図面を参照して、本発明に従う燃料電池システムの一実施形態について説明する。図１において、図示の燃料電池システム２は、炭化水素系の燃料ガス、例えば天然ガス（都市ガス）を消費して発電を行うものであり、燃料ガスを改質するための改質器４と、改質器４にて改質された燃料ガス及び酸化材としての空気の酸化及び還元によって発電を行う固体酸化物形の燃料電池６（燃料電池セルスタック）と、空気を燃料電池６に送給するための送風手段８と、を備えている。
【００１９】
燃料電池セルスタック６は、燃料電池反応によって発電を行うための複数の燃料電池セルを集電部材を介して積層して構成されており、酸素イオンを伝導する固体電解質と、この固体電解質の一方側に設けられた燃料極と、固体電解質の他方側に設けられた酸素極とを備え、固体電解質として例えばイットリアをドープしたジルコニアが用いられる。
【００２０】
この燃料電池６の燃料極の導入側は、改質燃料ガス送給ライン１０を介して改質器４に接続され、この改質器４は、ガス・水蒸気送給ライン１２を介して気化器１４に接続され、この気化器１４は、燃料ガス供給ライン１６を介して燃料ガスを供給するための燃料ガス供給源１８（例えば、埋設管や貯蔵タンクなど）に接続されている。またこの気化器１４は、水供給ライン２０を介して水供給源２２（例えば、水道管、水タンクなど）に接続されている。改質器４は、改質触媒によって燃料ガスを水蒸気改質を行い、また気化器１４は、水供給ライン２０を通して送給される水を気化させて水蒸気を発生する。
【００２１】
燃料ガス供給ライン１６には、脱硫器２４及び燃料ポンプ２６が配設されている。脱硫器２４は燃料ガスに含まれる硫黄成分を除去し、燃料ポンプ２６は燃料ガス供給源１８からの燃料ガスを燃料ガス供給ライン１６を通して気化器１４に送給し、その回転数を制御することによって、燃料ガスの供給流量が調整される。また、水供給ライン２０には水ポンプ３４が配設され、この水供給用ポンプ３４は、水供給源２２からの水を水供給ライン２０を通して気化器１４に供給し、その回転数を制御することによって、水の供給流量が調整される。
【００２２】
この燃料電池６（燃料電池セルスタック）の酸素極の導入側は、空気送給ライン３６を介して空気（酸化材）を予熱するための空気予熱器３８に接続され、この空気予熱器３８は、空気供給ライン４０を介して送風手段８に接続されている。送風手段８は、例えば送風ブロアから構成され、この送風ブロアの回転数を制御することによって、空気供給ライン４０を通して供給される空気の送給流量が調整される。
【００２３】
燃料電池６の燃料極及び酸素極の各排出側には燃焼室４４が設けられ、燃料電池６の一端から排出された反応燃料ガス（余剰の燃料ガスを含んでいる）と酸素極側から排出された空気（酸素を含んでいる）とがこの燃焼室４４に送給されて燃焼される。この燃焼室４４は排気ガス送給ライン４６を通して空気予熱器３８に接続され、空気予熱器３８を流れる排気ガスは排気ガス排出ライン４８を介して大気に排出される。空気余熱器３８においては、空気供給ライン４０を通して供給される空気と排気ガス送給ライン４６を通して送給される排気ガスとの間で熱交換が行われ、この熱交換によって加温された空気が空気送給ライン３６を通して燃料電池６に送給される。
【００２４】
燃料電池システム２は、このように構成されているので、燃料ポンプ２６、水ポンプ３４及び送風手段８（送風ブロア）などが、燃料電池６を起動させるための補機９８（図２参照）を構成し、これら補機９８は、コントローラ５６によって後述する如く作動制御される。
【００２５】
この実施形態では、燃料電池６の起動に関連する温度を検知するために、第１温度センサ５０及び第２温度センサ５２が設けられている。第１温度センサ５０は、改質器４に関連して配設され、改質器４の温度（換言すると、改質器４における改質反応温度）を検知する。また、第２温度センサ５２は、燃料電池６（燃料電池セルスタック）に関連して配設され、燃料電池６の温度（換言すると、燃料電池６の作動温度）を検知する。
【００２６】
この燃料電池システム２の制御回路は、図２に示す構成を有している。図２において、この燃料電池６の出力側には交流電力変換手段６０が設けられ、燃料電池６の出力側が発電出力ライン６１を介して交流電力変換手段６０に接続されている。この交流電力変換手段６０は、燃料電池６の発電電力（直流電力）を所定の直流電力に変換するための直流／直流変換手段６２と、この直流／直流変換手段６２からの直流電力を所定周波数の交流電力に変換するための直流／交流変換手段６３とを含んでおり、この直流／交流変換手段６３からの交流電力が発電出力として出力される。このような交流電力変換手段６０は、例えばパワーコンディショナなどから構成することができる。
【００２７】
交流電力変換手段６０の出力側には、交流電力を出力する電力出力ライン６４が設けられ、この電力出力ライン６４は、第１分岐出力ライン６６と第２分岐出力ライン６８とに分岐され、第２分岐出力ライン６８に出力切換スイッチ７０が配設されている。第１分岐出力ライン６６は、例えば２００Ｖの交流電力が出力され、かかる第１分岐出力ライン６６が商用電力に系統連系される。また第２分岐出力ライン６８は、例えば１００Ｖの交流電力が出力される。通常時、出力切換スイッチ７０が開状態に保たれ、第１分岐出力ライン６６を介して発電電力が出力されたり、この第１分岐出力ライン６６を介して破線矢印７２で示すように商用電力が送給される。また、停電時には、出力切換スイッチ７０が閉状態に保たれ、第２分岐出力ライン６８から例えば１００Ｖの交流電力が出力される。
【００２８】
また、この電力出力ライン６４は、分岐供給ライン７４を介してコントローラ５６に接続され、この電力出力ライン６４に入力切換スイッチ７６が設けられている。この制御回路では、家庭用コンセントからの交流電力を用いて燃料電池６（燃料電池セルスタック）の起動運転が可能なように、またポータブル電源装置、例えばポータブル発電機７８からの交流電力を用いて燃料電池６の起動運転が可能なように構成されている。即ち、入力切換スイッチ７６の一方の端子部７６ａは分岐供給ライン７４に接続され、その他方の端子部７６ｂは第１入力ライン８０を介して第１入力端子手段８２接続され、この第１入力ライン８０に第１入力スイッチ８４が配設されている。また、この第１入力ライン８０と電気的に並列に第２入力ライン８６が設けられ、この第２入力ライン８６の一端側が入力切換スイッチ７６の端子部７６ａに接続され、その他端側が第２入力端子手段８８に接続され、この第２入力ライン８６に第２入力スイッチ９０が配設されている。
【００２９】
このように構成されているので、通常時、入力切換スイッチ７６は端子部７６ａと接続する第１の切換状態に保たれ、燃料電池６からの発電電力又は系統連系を通しての商用電力がコントローラ５６に供給される。一方、外部電力（家庭用コンセント又はポータブル発電機７８）を利用して起動するときには、図２に示すように、入力切換スイッチ７６は他方の端子部７６ｂと接続する第２の切換状態に切り換えられる。このとき、家庭用コンセントからの商用電力を利用する場合、第１入力スイッチ８４が閉状態に保持され、また第１入力端子手段８２が家庭用コンセントに接続され、家庭用コンセントからの商用電力が第１入力端子手段８２、第１入力ライン８０及び分岐供給ライン７４を介してコントローラ５６に供給され、コントローラ５６は、家庭用コンセントからの商用電力により作動される。また、ポータブル発電機７８からの発電電力を利用する場合、第２入力スイッチ９０が閉状態に保持され、また第２入力端子手段８８がポータブル発電機７８の発電出力部（図示せず）に接続され、ポータブル発電機７８からの発電電力（交流電力）が第２入力端子手段８８、第２入力ライン８６及び分岐供給ライン７４を介してコントローラ５６に供給される。
【００３０】
この形態では、更に、分岐供給ライン７４の上流側部（入力切換スイッチ７４より上流側の部位）が、第１分岐送給ライン９２を介して交流電力変換手段６０の交流／直流変換手段９４に接続され、この交流／直流変換手段９４は、出力送給ライン９６を介して補機９８（この形態では、燃料ポンプ２６、水ポンプ３４、送風手段８など）に接続され、この出力送給ライン９６に出力スイッチ１００が設けられている。また、分岐供給ライン７４の下流側部（入力切換スイッチ７４より下流側の部位）が、第２分岐送給ライン１０２を介して第１分岐送給ライン９２に接続され、この第２分岐送給ライン１０２に開閉スイッチ１０４が設けられている。
【００３１】
このように構成されているので、入力切換スイッチ７６が端子部７６ａと接続する第１の切換状態のときには、コントローラ５６に供給される燃料電池６からの発電電力（又は商用電力）の一部が、第１分岐送給ライン９２、交流／直流変換手段９４、出力送給ライン９６及び出力スイッチ１００（閉状態に保持される）を介して補機９８に送給される。一方、入力切換スイッチ手段７６が他方の端子部７６ｂと接続する第２の切換状態のときには、開閉スイッチ１０４が閉状態に切り換えられる。そして、ポータブル発電機７８（又は家庭用コンセント）を利用するときには、入力切換スイッチ７６は他方の端子部７６ｂと接続する第２の切換状態に切り換えられ、コントローラ５６に送給されるポータブル発電機７８からの発電電力（又は家庭用コンセントから送給される商用電力）の一部が、第２分岐送給ライン１０２、第１分岐送給ライン９２、交流／直流変換手段９４、出力送給ライン９６及び出力スイッチ１００（閉状態に保持される）を介して補機９８に送給される。
【００３２】
この形態では、コントローラ５６は、燃料電池６の起動情報を記憶するためのメモリ１０６を含んでおり、停電時において燃料電池システム２を起動するときに、燃料電池６の起動工程に関する情報がこのメモリ１０６に記憶されるように構成されている。この実施形態では、燃料電池システム２（具体的には、燃料電池６）を起動するための起動工程が４つの分割工程、即ち第１〜第４起動工程に分割され、第１〜第４起動工程がこの順で遂行される。
【００３３】
上述した燃料電池システム２の起動は、例えば、図３に示すフローに従って行われる。図１及び図２とともに図３を参照して、通常の起動運転により燃料電池システム２を起動する（換言すると、２００Ｖの交流電力を系統連系を通して取得して起動する）には、操作装置（図示せず）を起動操作すればよく、操作装置を起動操作する（ステップＳ１）と、第１起動工程が遂行される（ステップＳ２）。即ち、コントローラ７８により送風手段８が作動され、この送風手段８により燃料電池６の酸素極側への空気の供給が行われる（ステップＳ３）。また、コントローラ７８により燃料ポンプ２６が作動され、この燃料ポンプ２６により燃料電池６の燃料極側への燃料ガスの供給が行われる（ステップＳ４）。更に、コントローラ７８により点火装置１０８（燃焼室４４に配設されている）が点火作動され（ステップＳ５）、このようにして燃焼室４４にて燃料ガスの燃焼が行われる（ステップＳ６）。
【００３４】
そして、燃焼室４４での燃料ガスの燃焼が行われて第１温度センサ５０の検知温度（即ち、改質器４の改質反応温度）が第１所定温度（８０〜１２０℃程度の温度、例えば９０℃に設定される）に達すると、ステップＳ７からステップＳ８に進み、第１起動工程が終了して第２起動工程が遂行される。
【００３５】
この第２起動工程では、コントローラ５６により水ポンプ３４が作動され、この水ポンプ３４により改質用水の供給が行われる（ステップＳ９）。そして、改質用水の供給後に第１温度センサ５０の検知温度が例えば２５０℃まで上昇すると、ステップＳ１０からステップＳ１１に進み、第２起動工程が終了して第３起動工程が遂行される。
【００３６】
この第３起動工程では、コントローラ５６により水ポンプ３４の回転数が上昇され、改質用水の供給流量が増大する（ステップＳ１２）。そして、この供給流量の増大の後に第１温度センサ５０の検知温度が７００℃まで上昇すると、ステップＳ１２からステップＳ１４に進み、第３起動工程が終了して第４起動工程が遂行される。
【００３７】
この第４起動工程では、コントローラ５６により水ポンプ３４の回転数が更に上昇され、改質用水の供給が更に増大される（ステップＳ１５）。そして、改質用水の更なる供給増大の後に第２温度センサ５２の検知温度が例えば６５０℃まで上昇すると、燃料電池システム２の定常運転が可能な状態となるので、ステップＳ１６からステップＳ１７に進み、第４起動工程が終了し、燃料電池システム２（燃料電池６）は定常運転で運転される（ステップＳ１８）。
【００３８】
このように通常の起動運転においては、起動工程、即ち第１〜第４起動工程が一連の動作でもって行われ、この起動工程の後に燃料電池システム２が定常運転される。
【００３９】
通常時（即ち、系統連系を通して商用電力を取得して起動を行う時）には、上述したようにして一連の起動動作でもって燃料電池システム２を起動することができるが、停電時には、系統連系を通して商用電力を得ることができないので、上述したようにして起動することができないが、この場合、例えばポータブル発電機７８を用いて次のように起動するようになる。
【００４０】
主として図２及び図４を参照して、停電時に燃料電池システム２を起動するには、ポータブル発電機７８を作動させて発電運転状態とし、このポータブル発電機７８の発電出力部を図２に一点鎖線で示すように第２入力端子部８８に接続する（ステップＳ２１）。そして、第２入力スイッチ９０をオン（閉状態）にした後に燃料電池システム２の起動操作を行うようにすればよい（ステップＳ２２）。かくすると、ポータブル発電機７８の発電出力を利用して燃料電池システム２の第１起動工程が開始され（ステップＳ２２）、上述した第１起動動作が遂行される（ステップＳ２４）。このとき、入力切換スイッチ７６が第２の切換状態に保持され、開閉スイッチ１０４が閉状態に保持され、また出力スイッチ１００が閉状態に保持されており、従って、ポータブル発電機７８からの発電電力がコントローラ５６に供給されて作動されるとともに、その発電電力が交流／直流変換手段７４を介して補機９８に供給されて上述したように作動される。
【００４１】
このポータブル発電機７８として、例えばカセットボンベを用いる形態のものを使用することがあり、この場合、燃料ガスが充分に充填されているものを使用しても約２時間程度しか発電を行うことができない。一方、燃料電池システム２の起動運転には４時間を超える場合もあり、この場合、燃料電池システム２の起動運転中にカセットボンベの燃料ガスを消費してポータブル発電機７８が作動停止することになる。この発電停止が生じると、燃料電池２は起動不良となって起動させることができないが、この起動不良を解消するために、次のように構成されている。
【００４２】
第１起動動作中に例えば燃料ガスを消費してポータブル発電機７８が作動停止すると、ステップＳ２５からステップＳ２６に移り、カセットボンベ（図示せず）を新しいものに交換してポータブル発電機７８を再作動してその発電電力を供給すると、点火を確実にするために送風手段８によるパージが行われた後にステップＳ２６からステップＳ２４に戻り、燃料電池システム２の第１起動動作が再び行われ、このように第１起動動作中にポータブル発電機７８が作動停止したときには、再作動後はこの第１起動動作から再開される。
【００４３】
このようにして上述した第１起動工程が終了する（即ち、第１温度センサ５０の検知温度が第１所定温度まで上昇する）（ステップＳ２７）と、ステップＳ２８に進み、第１起動工程の終了情報がコントローラ５６のメモリ１０６に記憶され、その後第２起動工程が開始され（ステップＳ２９）、第２起動動作が遂行される（ステップＳ３０）。
【００４４】
この第２起動動作中においてもポータブル発電機７８の作動停止の確認が行われ、例えば燃料ガスを消費してポータブル発電機７８が作動停止すると、ステップＳ３１からステップＳ３２に移り、カセットボンベ（図示せず）を新しいものに交換してポータブル発電機７８を再作動させると、上述したと同様に送風手段８によるパージが行われた後、ステップＳ３２からステップＳ３０に戻り、燃料電池システム２の第２起動動作が再び行われる。このように第２起動動作中にポータブル発電機７８が作動停止したときには、第１起動工程の終了情報がメモリ１０６に記憶されていることから、この第１起動工程終了情報に基づき、再作動後、コントローラ５６は第２起動工程から再開し、第２起動動作が遂行される。
【００４５】
このようにして上述した第２起動工程が終了する（即ち、第１温度センサ５０の検知温度が２５０℃まで上昇する）（ステップＳ３３）と、ステップＳ３４に進み、第２起動工程の終了情報がコントローラ５６のメモリ１０６に記憶され、その後第３起動工程が開始され（ステップＳ３５）、第３起動動作が遂行される（ステップＳ３０）。
【００４６】
この第３起動動作中においても上述したと同様にポータブル発電機７８の作動停止の確認が行われ、ポータブル発電機７８が作動停止すると、ステップＳ３７からステップＳ３８に移り、ポータブル発電機７８を再作動させると、上述したと同様に送風手段８によるパージが行われた後にステップＳ３８からステップＳ３６に戻り、燃料電池システム２の第３起動動作が再び行われる。このように第３起動動作中にポータブル発電機７８が作動停止したときには、第１及び第２起動工程の終了情報がメモリ１０６に記憶されていることから、この第２起動工程終了情報に基づき、再作動後、第３起動工程から再開され、コントローラ５６は第３起動動作を遂行する。
【００４７】
このようにして上述した第３起動工程が終了する（第１温度センサ５０の検知温度が７００℃まで上昇する）（ステップＳ３９）と、ステップＳ４０に進み、第３起動工程の終了情報がコントローラ５６のメモリ１０６に記憶され、その後第４起動工程が開始され（ステップＳ４１）、第４起動動作が遂行される（ステップＳ４２）。
【００４８】
この第４起動動作中においても上述したと同様にポータブル発電機７８の作動停止の確認が行われ、ポータブル発電機７８が作動停止すると、ステップＳ４３からステップＳ４４に移り、ポータブル発電機７８を再作動させると、上述したと同様に送風手段８によるパージが行われた後にステップＳ４４からステップＳ４２に戻り、燃料電池システム２の第４起動動作が再び行われる。このように第４起動動作中にポータブル発電機７８が作動停止したときには、第１〜第３起動工程の終了情報がメモリ１０６に記憶されていることから、この第３起動工程終了情報に基づき、再作動後、第４起動工程から再開され、コントローラ５６は第４起動動作を遂行する。
【００４９】
そして、このようにして上述した第４起動工程が終了する（第２温度センサ５２の検知温度が６５０℃まで上昇する）（ステップＳ４５）と、ステップＳ４６に進み、第４起動工程の終了情報がメモリ１０６に記憶され、これにより起動工程が終了し、その後燃料電池システム２の定常運転が遂行される。このように、起動工程を複数の分割工程に分割し、ポータブル発電機７８が作動停止したときには終了した分割工程の後の分割工程から再開しているので、起動工程の時間が長くても燃料電池システムを所要の通りに起動させることができる。
【００５０】
この実施形態では、通常起動時及び停電起動時において起動工程終了後の通常運転になった後に燃料電池６からの発電出力を出力させ、この出力電力を利用してコントローラ５６及び補機９８を作動させているが、このような構成に代えて、図５に示すように構成することもできる。
【００５１】
図５において、この変形形態の制御においては、第４起動工程の制御に修正が施され、この第４起動工程が更に二つの分割工程に分けられている。第４起動動作が遂行され（ステップＳ４２）、第２温度センサ５２の検知温度が例えば６００℃まで上昇すると、ステップＳ４２−１からステップＳ４２−４に進み、燃料電池６からの発電出力可能な状態となり、第４起動工程の前半部が終了し、この前半部終了情報がメモリ１０６に記憶され、燃料電池６からの発電電力が交流電力変換手段６０から出力される（ステップＳ４２−５）。かくすると、入力切換スイッチ手段７６が第１の切換状態となり、交流電力変換手段６０からの出力電力がコントローラ５６に供給されるとともに、出力スイッチ手段１００を介して補機９８に供給され、コントローラ５６及び補機９８がこの出力電力により作動され、このように制御することによって、ポータブル発電機７８の作動を抑える（換言すると、カセットボンベの燃料ガスの消費を少なく抑える）ことができる。
【００５２】
尚、この第４起動工程の前半部においてポータブル発電機７８が作動停止すると、ステップＳ４２−１からステップＳ４２−２を経てステップＳ４２−３に移り、ポータブル発電機７８を再作動させると、ステップＳ４２−３からステップＳ４２−１に戻る。
【００５３】
燃料電池６の発電電力の出力が行われると、第４起動工程の後半部に移り、第２温度センサ５２の検知温度が６５０℃まで上昇すると起動工程が終了し（ステップＳ４２−９）、後燃料電池システム２の定常運転が遂行される（ステップＳ４７）。
【００５４】
尚、この第４起動工程の後半部においてポータブル発電機７８が作動停止すると、ステップＳ４２−６からステップＳ４２−７を経てステップＳ４２−８に移り、ポータブル発電機７８を再作動させると、ステップＳ４２−８からステップＳ４２−６に戻る。
【００５５】
以上、本発明に従う燃料電池システムの一実施形態について説明したが、本発明はかかる実施形態に限定されるものではなく、本発明の範囲を逸脱することなく種々の変形乃至修正が可能である。
【００５６】
例えば、上述した実施形態では、起動工程を４つの分割工程（第１〜第４起動工程）に分けているが、このような構成に限定されず、起動工程を二つ、三つ又は五つ以上に分割するようにしてもよい。
【００５７】
また、例えば、上述した実施形態では、ポータブル電源装置としてポータブル発電機７８を用いているが、これに代えて、充電式バッテリを備えた形態のものを利用することもでき、この場合、交流電力変換手段６０及びコントローラ５６に直流／直流変換手段を含め、ポータブル電源装置からの直流電力を直流／直流変換手段を介して補機９８及びコントローラ５６に供給するようにすればよい。
【００５８】
また、例えば、上述した実施形態では、水ポンプの制御との関連で起動工程を４つに分割しているが、起動工程時における燃料電池６の起動に関する温度変化情報（例えば、改質器４の改質反応温度及び燃料電池６の作動温度の温度変化情報）を予めマップデータなどでメモリ１０６に登録するとともに、停電起動中の燃料電池６の起動に関する温度変化状況をメモリ１０６に記憶し、このマップデータと燃料電池６に関する温度変化状況とを対比させて起動工程の進行度合を把握し、ポータブル電源装置（ポータブル発電機７８）が作動停止して再作動させたときに、ポータブル発電機７８が作動停止した段階から起動工程を再開するようにしてもよい。
【００５９】
また、上述した実施形態では、燃料電池６としての固体酸化物形燃料電池に適用して説明したが、その他の種類の燃料電池、例えば固体高分子形燃料電池などにも同様に適用することができる。
【符号の説明】
【００６０】
２  燃料電池システム
４  改質器
６  燃料電池
８  送風手段
１４  気化器
２６  燃料ポンプ
３４  水ポンプ
５６  コントローラ
６０  交流電力変換手段
７８  ポータブル発電機
８２，８４  入力端子手段
【図１】
0005955068.tif 000002
【図２】
0005955068.tif 000003
【図３】
0005955068.tif 000004
【図４】
0005955068.tif 000005
【図５】
0005955068.tif 000006